(57)【要約】【課題】本発明は強度を強め、使用寿命を延ばすことができるパネル用製造過程の積載支持鋼索を提供する。【解決手段】鋼索と、二組の固定部材とからなる。前記鋼索は、樹脂で前記鋼索を被覆して形成する外層を備え、前記鋼索の両側端には連結段が設けられ、前記連結段の上軸には滑り止めリングがはめこまれる。前記固定部材の外縁には、外ネジ段及び螺合固定段が設けられ、前記螺合固定段の一側には、貫通していない軸孔が内側に向かって設けられる。その特徴は、前記鋼索の連結段を前記滑り止めリングに取り付け、さらにそれを前記固定部材の軸孔内に取り付け、加工機械で前記螺合固定段にリベット留めし、それにより、前記固定部材が前記鋼索の外層に緊密に結合され、しいては、前記鋼索と二組の前記固定部材が一体に組み合わされて外れなくなり、それにより、パネル製造過程の積載支持鋼索の強度が強まり、使用壽命が伸びる。【選択図】図３
2018148084.tif 000002
【特許請求の範囲】
【請求項１】
鋼索と、二組の固定部材とからなる、パネル用製造過程の積載支持鋼索であって、
鋼索は、前記鋼索を樹脂で被覆して形成される外層を備え、前記鋼索の両側端には、樹脂で被覆されていない連結段が残され、前記連結段の上軸には滑り止めリングがはめ込まれてそれを固定し、前記滑り止めリングの直径は前記鋼索の外層より大きく、
前記固定部材の外縁には螺合固定段が設けられ、前記螺合固定段の一側には、貫通しない軸孔が内側に向かって設けられ、
上述の構造により、前記鋼索の連結段を前記滑り止めリングに取り付け、さらに前記固定部材の軸孔内に取り付け、加工機械で前記螺合固定段をリベット留めすることで、前記固定部材を前記鋼索の外層に緊密に結合させ、しいては前記鋼索と二組の前記固定部材を一体に組み合わせて外れなくし、且つ前記固定部材の軸孔を前記鋼索の外層にはさみこんで固定することで二重の位置決め効果を達成し、それにより、パネル製造過程の積載支持鋼索の軸力強度を強めるとともに使用寿命を延ばすことができることを特徴とする、パネル用製造過程の積載支持鋼索。
【請求項２】
前記鋼索と前記滑り止めリングの軸をはめて固定した後、工具でしめつけることで六角型の構造にし、前記固定部材と前記鋼索を結合するとき、機械でリベット留めし四角形の構造を形成させ、
この二つの構造により、前記鋼索の滑り止めリングが前記固定部材内に固定された時、形状が位置を制限し、さらに軸力を強化することができることを特徴とする、請求項１に記載のパネル用製造過程の積載支持鋼索。
【請求項３】
前記軸孔は、単一直径の穴であることを特徴とする、請求項１に記載のパネル用製造過程の積載支持鋼索。
【発明の詳細な説明】
【技術分野】
【０００１】
本発明はパネル用製造過程の積載支持鋼索に関し、特に、パネルの製造過程において、パネルを積載する横向きの支持鋼索になり、構造性に優れ、軸力を増加させ位置ずれや滑りを減らす積載支持鋼索に関する。
【背景技術】
【０００２】
中華民国特許第Ｉ２５１５７３号「運送用基板收納フレームの線状基板支持構造」に開示されている、基板の運送に利用される支持構造は、主に、一対の立柱を胴差しで連結させて形成した矩形枠を、間隔をあけて長辺方向に複数配置すると同時に、相互に隣接した上述の矩形枠を、深さの方向に胴差しで連結させて長方形型枠フレームを形成させる。また、各矩形枠の前記一対の立柱の間に、線状の基板支持構造を、間隔をあけて高さの方向に複数配置すると同時に、前記隣接した矩形枠を、同じ方向の前記線状基板支持構造が同じ高さ且つ水平になるように形成させる。その特徴は、以下を備えている：押し出し加工によって、複数本のステンレス金属線を絞め合わせて形成させたステンレス金属線の外周上に樹脂を被覆させた線状体；及び、上述線状体の両端部に固定された一対の取り付け用金物。前述の取り付け用金物は、双方に圧接して固定され、上述線状体の両端部の樹脂を取り除いた後に上述線状体外部のステンレス金属線に露出する；及び、前記露出したステンレス金属線に隣接する樹脂端部。
【０００３】
しかしながら、前述した支持構造は、主に、取り付け用金物でステンレス鋼線を覆い、さらに機械で両者を圧接するが、この種の方法で形成される支持構造ステンレス金属線は摩耗しやすく且つ不安定である。その原因は、取り付け用金物とステンレス金属線はいずれも金属からなり、これらの支持構造は作業時に摩擦が起こるのは避けられず、長期間にわたると、ステンレス金属線は前記取付け用金物を摩耗しつづけ、最後には、前記ステンレス金属線は、取り付け用金物内で緩んだり外れたりし、製造作業の進行に影響する。
【先行技術文献】
【特許文献】
【０００４】
【特許文献１】中華民国特許第Ｉ２５１５７３号明細書
【発明の概要】
【発明が解決しようとする課題】
【０００５】
本発明は、上述の支持構造の欠点を改善し、強度を強め、使用寿命を延ばすことができるパネル用製造過程の積載支持鋼索を提供することを目的とする。
【課題を解決するための手段】
【０００６】
本発明によるパネル用製造過程の積載支持鋼索は、鋼索と、二組の固定部材とからなる。鋼索は、前記鋼索を樹脂で被覆して形成する外層を備え、前記鋼索の両側端には、樹脂で被覆されていない連結段が残され、前記連結段の上軸には滑り止めリングがはめこまれてそれを固定し、前記滑り止めリングの直径は前記鋼索の外層より大きい。前記固定部材の外縁には、外ネジ段及び螺合固定段が設けられ、前記螺合固定段の一側には、貫通していない軸孔が内側に向かって設けられる。その特徴は、前記鋼索の連結段を前記滑り止めリングに取り付け、さらに、それを前記固定部材の軸孔内に取り付け、加工機械によって前記螺合固定段及び鋼索の一部の外層にリベット留めし、それにより、前記固定部材を前記鋼索の外層に緊密に結合し、それにより、前記鋼索と二組の前記固定部材を一体に組み合わせ外れなくし、また、前記滑り止めリングによって、前記外層が前記固定部材に二重位置決め効果を生じさせることができる。
【発明の効果】
【０００７】
上述の説明による本発明には、以下の利点がある。滑り止めリングによって、鋼索と前記固定部材が直接接触することで生じる摩耗の問題が起こるのを防ぎ、また、前記滑り止めリングが、リベット留めの軸孔によって位置決めされ、軸力を増加させ、それにより、本発明に積載されたパネルが位置ずれしたり、滑ったりする不安定な状況を起こしにくくする。
【図面の簡単な説明】
【０００８】
【図１】本発明の構造の斜視図である。
【図２】本発明の構造の分解斜視図である。
【図３】本発明の構造の断面図である。
【発明を実施するための形態】
【０００９】
図１から図３を参照する。本発明のパネル用製造過程の積載支持鋼索は、主に、鋼索１０と、二組の固定部材２０とからなる。
【００１０】
前記鋼索１０は、樹脂で前記鋼索１０を被覆して形成する外層１１を備え、前記鋼索１０の両側端には、樹脂に被覆されていない連結段１２が残され、前記連結段１２上軸には滑り止めリング１３がはめ込まれ、それを固定する。前記滑り止めリング１３の直径は前記鋼索１０の外層１１より大きい。その内、前記鋼索１０は、複数本のワイヤーをからめた複数軸構造、もしくは、単軸構造を選択することができる。
【００１１】
前記固定部材２０の外縁には、外ネジ段２１及び螺合固定段２２が設けられ、前記螺合固定段２２の一側には、貫通していない軸孔２３が内側に向かって設けられる。
【００１２】
以上の構造の特徴は、以下の通りである。前記鋼索１０の連結段１２を前記滑り止めリング１３に取り付け、さらに、それを前記固定部材２０の軸孔２３内に取り付け、加工機械で前記螺合固定段２２にリベット留めする。それにより、前記固定部材２０前記鋼索１０の外層１１に緊密に結合させるとともに、前記鋼索１０と二組の前記固定部材２０を一体に組み合わせ外れないようにする。また、前記滑り止めリング１３を前記固定部材２０の軸孔２３内に固定させ、前記軸孔２３を前記鋼索１０の外層１１に挟み込んで固定することで二重の固定効果が生まれ、パネル製造過程の積載支持鋼索の強度を強くするとともに、使用寿命を延ばすことができる。
【００１３】
図１から図３を参照する。本発明を実際に使用する際は、本発明を承載パネルの枠体に取り付け、前記外ネジ段２１を前記枠体に螺合すると使用することができる。本発明は鋼索１０に滑り止めリング１３を取り付けているとともに、固定部材２０の軸孔２３で位置決めし、且つ前記軸孔２３で前記外層１１をはさみこんで固定しているため、二重固定効果があり、そのため、前記鋼索１０の軸力を増加させることができるとともに、前記鋼索１０をもとの位置に戻すことができる。それにより、本発明のパネルの作業過程において、位置がずれたり、滑ったりするなどの固定が不安定になる状況が生じにくくなる。図の前記固定部材２０は、外ネジ段２１を備えるだけでなく、図３に示すように、回転するつるつるの握り部を備えさせ、機械でリベット留めをし鋼索１０と一体結合することもできる。
【００１４】
重要なこととして、前記鋼索１０と前記滑り止めリング１３の軸をはめて固定した後、工具でしめつけることで六角型の構造にし、前記固定部材２０と前記鋼索１０を結合するとき、機械でリベット留めし四角形の構造を形成させると、この二つの構造により、前記鋼索１０の滑り止めリング１３が前記固定部材２０内に固定された時、形状が位置を制限し、さらに軸力を強化することができる。
【００１５】
また、中華民国特許第Ｉ２５１５７３号「運送用基板收納フレームの線状基板支持構造」取付け用金物の軸孔は二段加工が必要であるのに比べて、本発明の軸孔２３は単一直径の穴であり、加工が容易である。
【符号の説明】
【００１６】
１０  鋼索
１１  外層
１２  連結段
１３  滑り止めリング
２０  固定部材
２１  外ネジ段
２２  螺合固定段
２３  軸孔
【図１】
2018148084.tif 000003
【図２】
2018148084.tif 000004
【図３】
2018148084.tif 000005
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
鋼索と、二組の固定部材と、からなるパネル用製造過程の積載支持鋼索であって、
前記鋼索は、前記鋼索を樹脂で被覆して形成される外層を備え、かつ、前記鋼索の両側端には、樹脂で前記被覆されていない連結段が残され、
前記連結段の上軸には滑り止めリングがはめ込まれてそれを固定し、
前記滑り止めリングの直径は前記鋼索の前記外層より大きく、
前記固定部材の外縁には螺合固定段が設けられ、前記螺合固定段の一側には、貫通しない軸孔が内側に向かって設けられており、
前記鋼索の前記連結段に前記滑り止めリングを取り付け、さらに前記滑り止めリングを前記固定部材の前記軸孔内に取り付け、
加工機械で前記螺合固定段をリベット留めすることで、前記固定部材を前記鋼索の前記外層に緊密に結合させ、
前記鋼索と二組の前記固定部材とが一体に組み合わせて外れなくし、かつ、前記固定部材の前記軸孔を前記鋼索の外層にはさみこんで固定することで二重の位置決め効果を達成し、
それにより、パネル製造過程の積載支持鋼索の軸力強度を強めるとともに使用寿命を延ばすことができるものであり、
さらに、
前記鋼索と前記滑り止めリングの軸をはめて固定した後、工具でしめつけることで六角型の構造にし、前記固定部材と前記鋼索を結合するとき、機械でリベット留めし四角形の構造を形成させ、
この二つの構造により、前記鋼索の前記滑り止めリングが前記固定部材内に固定された時、形状が位置を制限し、さらに軸力を強化することができる
ことを特徴とするパネル用製造過程の積載支持鋼索。
【請求項２】
請求項１に記載のパネル用製造過程の積載支持鋼索において、
前記軸孔は、単一直径の穴である
ことを特徴とするパネル用製造過程の積載支持鋼索。